(57)【特許請求の範囲】
【請求項１】
ＢＳ（Broadcasting Satellite）ディジタル放送向けの複数のフレームからなるスーパーフレーム構成を有する多重化された信号からトランスポートストリームを形成するデータ列を分離して抽出するディジタル放送信号分離装置であって、
２フレーム分の多重化された信号を一時的に記憶する信号記憶手段と、
分離する対象となるトランスポートストリームを特定するための選択ＩＤ情報に示されるＩＤ番号と、多重化された信号から抽出された伝送多重制御情報に示されるＩＤ番号とを比較して、多重化された信号における分離対象のトランスポートストリームの位置を特定する相対ＴＳ（Transport Stream）番号を求めるＩＤ比較手段と、
前記ＩＤ比較手段により求められた相対ＴＳ番号と、多重化された信号から抽出された伝送多重制御情報とから、分離対象のトランスポートストリームが伝送されるスロット番号を特定し、特定したスロット番号に応じて多重化された信号の読出動作を制御する読出制御信号を生成して前記信号記憶手段に供給するスロット特定手段と、
多重化された信号において分離対象のトランスポートストリームに割り当てられているスロット数に応じたクロック信号を生成するクロック生成手段とを備え、
前記クロック生成手段は、クロック信号の作成パターンを記憶するパターン記憶手段を含み、
前記スロット特定手段は、前記ＩＤ比較手段により求められた相対ＴＳ番号と、多重化された信号から抽出された伝送多重制御情報とから、分離対象のトランスポートストリームに割り当てられているスロット数を特定して前記クロック生成手段に通知する、
ことを特徴とするディジタル放送信号分離装置。
【請求項２】
前記スロット特定手段は、多重化された信号が形成するフレーム内の各スロットに割り当てられた相対ＴＳ番号データを取得し、前記ＩＤ比較手段により求められた相対ＴＳ番号と比較することにより、分離対象のトランスポートストリームが伝送されるスロット番号を特定する、
ことを特徴とする請求項１に記載のディジタル放送信号分離装置。
【請求項３】
ＢＳ（Broadcasting Satellite）ディジタル放送向けの複数のフレームからなるスーパーフレーム構成を有する多重化された信号からトランスポートストリームを形成するデータ列を分離して抽出するディジタル放送信号分離方法であって、
２フレーム分の多重化された信号を一時的にメモリに記憶し、分離する対象となるトランスポートストリームを特定するための選択ＩＤ番号と、多重化された信号から抽出された伝送多重制御情報に示されるＩＤ番号とを比較して、多重化された信号におけるトランスポートストリームの位置を特定する相対ＴＳ番号を求め、相対ＴＳ番号と、多重化された信号から抽出された伝送多重制御情報とから、分離対象のトランスポートストリームが伝送されるスロット番号を特定し、特定したスロット番号に応じた信号を前記メモリに記憶されている多重化された信号のうちから読み出し、
相対ＴＳ番号と、多重化された信号から抽出された伝送多重制御情報とから、多重化された信号において分離対象のトランスポートストリームに割り当てられているスロット数を特定し、所定のパターン記憶手段に予め記憶されているクロック信号の作成パターンに基づいて、特定されたスロット数に応じたクロック信号を生成して前記メモリに記憶されている多重化された信号の読出と同期して出力する、
ことを特徴とするディジタル放送信号分離方法。
【請求項４】
多重化された信号が形成するフレーム内の各スロットに割り当てられた相対ＴＳ番号データを取得して前記相対ＴＳ番号と比較することによって、分離対象のトランスポートストリームが伝送されるスロット番号を特定する、
ことを特徴とする請求項３に記載のディジタル放送信号分離方法。
【発明の詳細な説明】
【０００１】
【発明の属する技術分野】
この発明は、ディジタル放送用の多重化信号を受信して、トランスポートストリームを形成するデータ列を分離するためのディジタル放送信号分離装置に係り、特に、簡単な構成でデータ列を分離することができるディジタル放送信号分離装置に関する。
【０００２】
【従来の技術】
ＢＳ（Ｂｒｏａｄｃａｓｔｉｎｇ  Ｓａｔｅｌｌｉｔｅ）ディジタル放送では、ＭＰＥＧ−２（Ｍｏｖｉｎｇ  Ｐｉｃｔｕｒｅ  Ｅｘｐｅｒｔ  Ｇｒｏｕｐ  ｐｈａｓｅ  ２）の規格に従ったトランスポートストリームを含むフレーム構成の多重化信号を用いて放送用のデータを伝送する。この多重化信号は、例えば、４８個のスロットにより１つのフレームを構成し、且つ、８つのフレームにより１つのスーパーフレームを構成している。
【０００３】
こうした多重化信号を送信するため、ＢＳディジタル放送を提供する送信側では、複数のトランスポートストリームを合成してフレームを構成し、同期パターンや伝送多重制御情報を付加して多重化信号を作成する。
【０００４】
一方、受信側では、ディジタル放送信号分離装置が、フレーム内のスロットごとの伝送方式や符号化率等を示す伝送多重制御情報を読み取り、目的とするトランスポートストリームを特定して分離することで、所望の放送用データを取得することができる。
【０００５】
【発明が解決しようとする課題】
上記従来技術では、８フレームを１スーパーフレームとした単位で多重化信号が送信され、伝送多重制御情報は、１スーパーフレームを構成する各フレーム内で予め定められたスロットの先頭部分を用いて伝送される。
このことから、受信側では、ディジタル放送信号分離装置が１スーパーフレーム分のデータ列をメモリに記憶した上で伝送多重制御情報を取得し、目的とするトランスポートストリームを分離することが考えられる。
【０００６】
しかし、メモリに記憶するデータ量はできる限り少ない方が、受信装置の部品点数を低減することができるので好ましい。
【０００７】
この発明は、上記実状に鑑みてなされたものであり、簡単な構成で適切にデータ列を分離することができるディジタル放送信号分離装置を提供することを目的とする。
【０００８】
【課題を解決するための手段】
上記目的を達成するべく、この発明の第１の観点に係るディジタル放送信号分離装置は、
ＢＳ（Broadcasting Satellite）ディジタル放送向けの複数のフレームからなるスーパーフレーム構成を有する多重化された信号からトランスポートストリームを形成するデータ列を分離して抽出する装置であって、
２フレーム分の多重化された信号を一時的に記憶する信号記憶手段と、
分離する対象となるトランスポートストリームを特定するための選択ＩＤ情報に示されるＩＤ番号と、多重化された信号から抽出された伝送多重制御情報に示されるＩＤ番号とを比較して、多重化された信号における分離対象のトランスポートストリームの位置を特定する相対ＴＳ（Transport Stream）番号を求めるＩＤ比較手段と、
前記ＩＤ比較手段により求められた相対ＴＳ番号と、多重化された信号から抽出された伝送多重制御情報とから、分離対象のトランスポートストリームが伝送されるスロット番号を特定し、特定したスロット番号に応じて多重化された信号の読出動作を制御する読出制御信号を生成して前記信号記憶手段に供給するスロット特定手段と、
多重化された信号において分離対象のトランスポートストリームに割り当てられているスロット数に応じたクロック信号を生成するクロック生成手段とを備え、
前記クロック生成手段は、クロック信号の作成パターンを記憶するパターン記憶手段を含み、
前記スロット特定手段は、前記ＩＤ比較手段により求められた相対ＴＳ番号と、多重化された信号から抽出された伝送多重制御情報とから、分離対象のトランスポートストリームに割り当てられているスロット数を特定して前記クロック生成手段に通知する、
ことを特徴とする。
【０００９】
この発明によれば、多重化された信号を信号記憶手段に一時的に記憶すると共に、選択ＩＤ情報と、伝送多重制御情報とから、多重化された信号における分離対象のトランスポートストリームの位置を特定することができる。
また、クロック生成手段は、分離対象のトランスポートストリームに割り当てられているスロット数に応じたクロック信号を生成する。これにより、トランスポートストリームを形成するデータ列を分離すると共にクロック信号を生成して出力することができ、簡単な構成で適切にデータ列を分離することができる。
【００１０】
より詳細には、前記スロット特定手段は、多重化された信号が形成するフレーム内の各スロットに割り当てられた相対ＴＳ番号データを取得し、前記ＩＤ比較手段により求められた相対ＴＳ番号と比較することにより、分離対象のトランスポートストリームが伝送されるスロット番号を特定することが望ましい。
【００１４】
また、この発明の第２の観点に係るディジタル放送信号分離方法は、
ＢＳ（Broadcasting Satellite）ディジタル放送向けの複数のフレームからなるスーパーフレーム構成を有する多重化された信号からトランスポートストリームを形成するデータ列を分離して抽出する方法であって、
２フレーム分の多重化された信号を一時的にメモリに記憶し、分離する対象となるトランスポートストリームを特定するための選択ＩＤ番号と、多重化された信号から抽出された伝送多重制御情報に示されるＩＤ番号とを比較して、多重化された信号におけるトランスポートストリームの位置を特定する相対ＴＳ番号を求め、相対ＴＳ番号と、多重化された信号から抽出された伝送多重制御情報とから、分離対象のトランスポートストリームが伝送されるスロット番号を特定し、特定したスロット番号に応じた信号を前記メモリに記憶されている多重化された信号のうちから読み出し、
相対ＴＳ番号と、多重化された信号から抽出された伝送多重制御情報とから、多重化された信号において分離対象のトランスポートストリームに割り当てられているスロット数を特定し、所定のパターン記憶手段に予め記憶されているクロック信号の作成パターンに基づいて、特定されたスロット数に応じたクロック信号を生成して前記メモリに記憶されている多重化された信号の読出と同期して出力する、
ことを特徴とする。
【００１５】
ここで、多重化された信号が形成するフレーム内の各スロットに割り当てられた相対ＴＳ番号データを取得して前記相対ＴＳ番号と比較することによって、分離対象のトランスポートストリームが伝送されるスロット番号を特定することが望ましい。
【００１６】
【発明の実施の形態】
以下に、図面を参照して、この発明の実施の形態に係るディジタル放送信号分離装置について詳細に説明する。
【００１７】
図１は、この発明の実施の形態に係るディジタル放送信号分離装置１００の構成を示す図である。このディジタル放送信号分離装置１００は、例えば、復調部１１０がＢＳ（Ｂｒｏａｄｃａｓｔｉｎｇ  Ｓａｔｅｌｌｉｔｅ）ディジタル放送向けの電波から復調した信号を受ける。より具体的には、このディジタル放送信号分離装置１００は、復調部１１０から、フレーム構成を有する多重化信号と、多重化信号から抽出されたＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）からなる伝送多重制御情報とを受ける。
ここで、ＴＭＣＣは、多重化信号が形成するフレーム内のスロットごとの伝送方式や符号化率、トランスポートストリームのＩＤ番号等を示す情報である。
【００１８】
このディジタル放送信号分離装置１００が受ける多重化信号は、例えば、４８個のスロットにより１つのフレームを構成し、且つ、８つのフレームにより１つのスーパーフレームを構成している。ここで、各スロットは、２０４バイトのデータからなり、各スロットの先頭１バイトを利用して、同期パターンや伝送多重制御情報を伝送する。
【００１９】
また、このディジタル放送信号分離装置１００は、分離して抽出する対象となる放送用データが含まれるトランスポートストリームを特定するため、復調部１１０から選択ＩＤ情報を受ける。
【００２０】
図１に示すように、このディジタル放送信号分離装置１００は、ＩＤ比較処理部１０と、スロット特定処理部１１と、クロック生成処理部１２と、フレームデータ記憶部１３とを備えている。
【００２１】
ＩＤ比較処理部１０は、復調部１１０より送られた選択ＩＤ情報と伝送多重制御情報を受ける。ＩＤ比較処理部１０は、選択ＩＤ情報に示されるトランスポートストリームのＩＤ番号と、伝送多重制御情報に示されるトランスポートストリームのＩＤ番号とを比較する。
ここで、選択ＩＤ情報には、このディジタル放送信号分離装置１００が分離して抽出する対象となるトランスポートストリームのＩＤ番号が示されている。
ＩＤ比較処理部１０は、比較の結果から、抽出の対象となるトランスポートストリームの位置を特定するための相対ＴＳ番号を求め、スロット特定処理部１１に通知する。
【００２２】
スロット特定処理部１１は、復調部１１０より送られた伝送多重制御情報を受ける。スロット特定処理部１１は、伝送多重制御情報から、多重化信号が形成するフレーム内の各スロットに割り当てられた相対ＴＳ番号データを取得し、ＩＤ比較処理部１０から受けた相対ＴＳ番号との比較により、分離するトランスポートストリームが含まれるスロット番号を特定する。
また、スロット特定処理部１１は、特定したスロット番号に対応するデータがフレームデータ記憶部１３にて記憶されるアドレスを求め、求めたアドレスに応じた読出制御信号を作成し、フレームデータ記憶部１３に供給する。
また、スロット特定処理部１１は、伝送多重制御情報に基づいて、多重化信号において抽出対象のトランスポートストリームに割り当てられたスロット数を特定し、クロック生成処理部１２に通知する。
【００２３】
クロック生成処理部１２は、スロット特定処理部１１から通知されたスロット数に応じたクロック信号を作成するためのものである。
クロック信号を作成する際、クロック生成処理部１２は、フレームデータ記憶部１３が抽出したトランスポートストリームに同期して、トランスポートストリームに従った処理を実行する処理装置等にクロック信号を出力する。
また、クロック生成処理部１２は、クロック信号の作成パターンである分離クロックパターンを記憶するためのパターン記憶部１２ａを備えている。クロック生成処理部１２は、スロット特定処理部１１から通知されたスロット数に対応する分離クロックパターンをパターン記憶部１２ａから読み出し、読み出したパターンに従ったクロック信号を作成して出力する。
【００２４】
パターン記憶部１２ａは、ＲＯＭ（Ｒｅａｄ  Ｏｎｌｙ  Ｍｅｍｏｒｙ）等から構成され、クロック生成処理部１２が生成するクロック信号のパターンを予め記憶しておくためのものであり、例えば、クロック生成処理部１２が生成する４８通りのクロックパターンを記憶する。
ここで、パターン記憶部１２ａが記憶する分離クロックパターンは、１フレーム分のデータ列に対応するためのものであればよく、パターン記憶部１２ａの容量は、６０キロバイト程度でよい。
【００２５】
フレームデータ記憶部１３は、半導体メモリ等から構成され、復調部１１０から送られた多重化信号を一時的に記憶し、抽出対象のトランスポートストリームを分離して出力するためのものである。
フレームデータ記憶部１３は、スロット特定処理部１１から供給された読出制御信号に対応するアドレスに記憶されたデータを、トランスポートストリームに従った処理を実行する処理装置等に出力することにより、多重化信号に含まれるトランスポートストリームを抽出する。
また、フレームデータ記憶部１３は、２フレーム分のデータを記憶できるだけの容量を有し、トランスポートストリームを形成するデータ列の書込と読出を同時に実行して多重化信号から抽出対象のトランスポートストリームを分離する。すなわち、フレームデータ記憶部１３は、１フレーム分のデータを書き込むと同時に、１フレーム分のデータを読み出して出力する。
【００２６】
以下に、この発明の実施の形態に係るディジタル放送信号分離装置１００の動作を説明する。
このディジタル放送信号分離装置１００は、多重化信号を受信すると共に抽出対象のトランスポートストリームを特定するための処理を実行することにより、簡単な構成でトランスポートストリームを形成するデータ列を適切に分離することができる装置である。
【００２７】
このディジタル放送信号分離装置１００が受信する多重化信号は、図２に例示するように、例えば異なる変調方式（２相位相シフトキーイング；ＢＰＳＫ、４相位相シフトキーイング；ＱＰＳＫ、トレリス８相位相シフトキーイング；ＴＣ８ＰＳＫ等）により伝送される複数のトランスポートストリームを形成する。この多重化信号は、複数のトランスポートストリームをスロット単位で搬送することにより、時間分割多重化（ＴＤＭ；Ｔｉｍｅ  Ｄｉｖｉｓｉｏｎ  Ｍｕｌｔｉｐｌｅｘ）を実現している。
図２に示す多重化信号は、一例として、４つのトランスポートストリームＴＳ１〜ＴＳ４を多重化している。
【００２８】
ディジタル放送信号分離装置１００は、この多重化信号から選択ＩＤ情報に示されるＩＤ番号のトランスポートストリームを分離して抽出することで、ディジタル放送の受信側にて、所望のチャンネルの音声・映像情報等を受信可能とする。
【００２９】
ここで、多重化信号のデータ構成等を示す伝送多重制御情報は、多重化信号が形成するフレーム内で予め定められた位置にあるスロットの先頭部分を用いて伝送され、復調部１１０にて分離された後、このディジタル放送信号分離装置１００に入力される。
また、図３に示すように、伝送多重制御情報は、２スーパーフレーム分だけ遅れて伝送される多重化信号が形成するスーパーフレームのデータ構成を示している。
【００３０】
ＩＤ比較処理部１０は、復調部１１０から抽出対象となるトランスポートストリームのＩＤ番号を示す選択ＩＤ情報と伝送多重制御情報を受け、選択ＩＤ情報に示されるトランスポートストリームのＩＤ番号と、伝送多重制御情報に示されるトランスポートストリームのＩＤ番号とを比較する。
ＩＤ比較処理部１０は、比較の結果から抽出の対象となるトランスポートストリームの位置を特定する相対ＴＳ番号を求め、スロット特定処理部１１に通知する。
【００３１】
ＩＤ比較処理部１０は、これらの処理を、伝送多重制御情報が含まれていたスーパーフレームに相当する多重化信号が、このディジタル放送信号分離装置１００に入力されている間に実行する。
【００３２】
スロット特定処理部１１は、復調部１１０から伝送多重制御情報を受けて多重化信号が形成するフレーム内の各スロットに割り当てられた相対ＴＳ番号データを取得し、ＩＤ比較処理部１０から通知された相対ＴＳ番号と比較することにより、分離するトランスポートストリームが伝送されるスロット番号を特定する。この際、スロット特定処理部１１は、特定したスロット番号に対応するデータがフレームデータ記憶部１３にて記憶されるアドレスを求め、求めたアドレスに応じた読出制御信号を作成し、フレームデータ記憶部１３に送る。
また、スロット特定処理部１１は、多重化信号において抽出対象のトランスポートストリームに割り当てられたスロット数を特定し、クロック生成処理部１２に通知する。
【００３３】
スロット特定処理部１１は、これらの処理を、伝送多重制御情報が含まれていたスーパーフレームの次に復調部１１０から送られるスーパーフレームに相当する多重化信号が、このディジタル放送信号分離装置１００に入力されている間に実行する。
これにより、スロット特定処理部１１は、抽出対象のトランスポートストリームを含んだスーパーフレームに相当する多重化信号がこのディジタル放送信号分離装置１００に入力されるまでの間に、抽出対象のトランスポートストリームの位置を特定することができる。
【００３４】
フレームデータ記憶部１３は、復調部１１０から送られた多重化信号を書き込んで記憶すると共に、スロット特定処理部１１から送られた読出制御信号に従って記憶データを読み出して出力する。
【００３５】
クロック生成処理部１２は、スロット特定処理部１１から通知されたスロット数に対応する分離クロックパターンをパターン記憶部１２ａから読み出す。
クロック生成処理部１２は、読み出した分離クロックパターンに従ったクロック信号を生成し、フレームデータ記憶部１３が出力するトランスポートストリームと同期して出力する。
【００３６】
このように、ＩＤ比較処理部１０とスロット特定処理部１１は、復調部１１０から選択ＩＤ番号と伝送多重制御情報を受けた後、逐次、抽出対象となるトランスポートストリームを特定するための処理を実行する。
これにより、フレームデータ記憶部１３がデータ列を分離している間に、次に抽出するトランスポートストリームを特定することができる。
【００３７】
例えば、図３に示すように、タイミングｔ１にて、このディジタル放送信号分離装置１００への多重化信号の入力が開始されたとする。
【００３８】
この場合、ＩＤ比較処理部１０は、最初の１スーパーフレームに相当する多重化信号の入力が完了するタイミングｔ２までの間に、抽出の対象となるトランスポートストリームの位置を特定する相対ＴＳ番号を求め、スロット特定処理部１１に通知する。
【００３９】
スロット特定処理部１１は、次の１スーパーフレームに相当する多重化信号の入力が完了するタイミングｔ３までの間に、分離するトランスポートストリームが含まれるスロット番号と抽出対象のトランスポートストリームに割り当てられたスロット数を特定する。
このようにして、スロット特定処理部１１は、抽出対象のトランスポートストリームが含まれるスーパーフレームに相当する多重化信号がこのディジタル放送信号分離装置１００に入力されるタイミング以前に、抽出対象のトランスポートストリームを特定し、分離するための準備を完了する。
【００４０】
スロット特定処理部１１は、分離するトランスポートストリームが含まれるスロット番号に対応した読出制御信号をフレームデータ記憶部１３に送り、抽出対象のトランスポートストリームに割り当てられたスロット数をクロック生成処理部１２に通知する。
【００４１】
この後、このディジタル放送信号分離装置１００に抽出対象のトランスポートストリームを含んだスーパーフレームに相当する多重化信号が入力されると、フレームデータ記憶部１３は、読出制御信号に示されるアドレスに記憶されたデータ列を読み出して出力する。
この際、クロック生成処理部１２は、スロット特定処理部１１から通知されたスロット数に応じた分離クロックパターンをパターン記憶部１２ａから読み出してクロック信号を作成し、トランスポートストリームに同期して出力する。
これにより、抽出対象のトランスポートストリームを分離して出力すると共に、当該トランスポートストリームに対応するパターンのクロック信号を出力することができる。
【００４２】
また、スロット特定処理部１１は、ＩＤ比較処理部１０から相対ＴＳ番号の通知を受けた後に読出制御信号の生成とスロット数の特定を行うことから、フレームデータ記憶部１３がトランスポートストリームを分離するのと並行して、次に抽出するトランスポートストリームを順序よく特定することができる。
これにより、フレームデータ記憶部１３は、１スーパーフレーム分のデータを記憶する必要はなく、２フレーム分の容量を有していればトランスポートストリームを抽出することが可能である。すなわち、簡単な構成で適切にデータ列を分離することができる。
【００４３】
以上説明したように、この発明によれば、抽出対象のトランスポートストリームが含まれるスーパーフレームに相当する多重化信号が入力されるタイミング以前に、トランスポートストリームを抽出するための読出制御信号を作成し、クロック信号を生成するためのスロット数を特定する。
これにより、フレームデータ記憶部１３は、２フレーム分の容量があれば適切にトランスポートストリームを抽出することができ、簡単な構成でデータ列を分離することができる。
【００４４】
また、クロック生成処理部１２は、パターン記憶部１２ａに分離クロックパターンを記憶しており、スロット特定処理部１１から通知されたスロット数に応じたパターンのクロック信号を生成することができる。
これにより、抽出対象のトランスポートストリームに割り当てられたスロット数に応じた適切なクロック信号を生成することができる。
【００４５】
なお、この発明は、ディジタル放送向けのフレーム構成を有するデータ列を分離する場合に限定されず、フレーム構成を有する任意のデータ列を分離する場合に適用可能である。
【００４６】
【発明の効果】
以上の説明のように、この発明によれば、抽出対象のトランスポートストリームを分離するのと同時に、次に抽出対象となるトランスポートストリームを特定し、逐次クロック信号と共に出力することができる。
これにより、フレーム構成を有するデータ列を簡単な構成で適切に分離することができる。
【図面の簡単な説明】
【図１】この発明の実施の形態に係るディジタル放送信号分離装置の構成を示す図である。
【図２】ディジタル放送信号分離装置に入力される多重化信号の構成を示す図である。
【図３】トランスポートストリームを分離する動作を説明するためのタイミングチャートである。
【符号の説明】
１０    ＩＤ比較処理部
１１    スロット特定処理部
１２    クロック生成処理部
１２ａ    パターン記憶部
１３    フレームデータ記憶部
１００    ディジタル放送信号分離装置
１１０    復調部
【図１】
0003598040.tif 000002
【図２】
0003598040.tif 000003
【図３】
0003598040.tif 000004